(57)【要約】      （修正有）【課題】果樹の枝の狭間に手腕を差し通す際にも邪魔にならず、しかも手指で摘んだ小粒果実を効率的に収穫袋内に収容することができ、より効率的に収穫することができる新たな小粒果実用の収穫袋を提供する。【解決手段】有底筒状とされ、天面に投入口２０が設けられ、投入口２０から底部２２までの深さが、利用者Ｐの指の根元の関節付近から手首ないし肘に至る間の何れかの長さに設定された柔軟素材製の収穫袋２を有し、収穫袋２の投入口２０の周縁に環状枠３が装着され、環状枠３の半円周に満たない範囲に利用者Ｐの掌に沿って接するよう湾曲された掌対応範囲が設定され、掌対応範囲の両端間に対応する環状枠３に複数個の指環３１が設けられ、掌対応範囲の略中央位置の直下に対応する収穫袋２の底部２２の外周縁付近に腕ベルト５を設けている小粒果実用収穫具１である。【選択図】図１
2020099205.tif 000002
【特許請求の範囲】
【請求項１】
有底筒状とされ、天面に収穫対象の小粒果実の外径寸法よりも十分に大きく、しかも利用者の広げた掌に収まる程度の直径に設定された投入口が設けられ、投入口から底部までの深さが、利用者の指の根元の関節付近から手首ないし肘に至る間の何れかの長さに設定された柔軟素材製の収穫袋を有し、収穫袋の投入口の周縁に沿って弾性素材製の環状枠が装着され、環状枠の半円周に満たない範囲に利用者の掌に沿って接するよう湾曲された掌対応範囲が設定され、掌対応範囲の両端間に対応する環状枠に複数個の指環が設けられ、掌対応範囲の略中央位置の直下に対応する収穫袋の底部の外周縁付近に腕ベルトが設けられてなるものとしたことを特徴とする小粒果実用収穫具。
【請求項２】
有底筒状とされ、天面に収穫対象の小粒果実の外径寸法よりも十分に大きく、しかも利用者の広げた掌に収まる程度の直径に設定された投入口が設けられ、投入口から底部までの深さが、利用者の指の根元の関節付近から手首ないし肘に至る間の何れかの長さに設定された柔軟素材製の収穫袋を有し、収穫袋の投入口の周縁に沿って弾性素材製の環状枠が装着され、環状枠の半円周に満たない範囲に利用者の掌に沿って接するよう湾曲された掌対応範囲が設定され、掌対応範囲の両端間に対応する環状枠に複数個の指環が設けられ、掌対応範囲の略中央位置の直下に対応する収穫袋の底部の外周縁付近に腕ベルトが設けられ、利用者の手に装着された場合に、利用者が手指で摘まむように収穫した小粒果実類を投入口から収穫袋内に回収可能なものとされたことを特徴とする小粒果実用収穫具。
【請求項３】
有底筒状とされ、天面に収穫対象の小粒果実の外径寸法よりも十分に大きく、しかも利用者の広げた掌に収まる程度の直径に設定された投入口が設けられ、投入口から底部までの深さが、利用者の指の根元の関節付近から手首ないし肘に至る間の何れかの長さに設定された柔軟素材製の収穫袋を有し、収穫袋の投入口の周縁に沿って弾性素材製の環状枠が装着され、環状枠の半円周に満たない範囲に利用者の掌に沿って接するよう湾曲された掌対応範囲が設定され、掌対応範囲の両端間に対応する環状枠に複数個の指環が設けられ、掌対応範囲の略中央位置となる環状枠の中途部に上端が一体化され、収穫袋の周壁に沿って直下に対応する収穫袋の底部の外周縁付近まで延伸された腕杆部、掌対応範囲の略中央位置となる環状枠の中途部の直下に対応する収穫袋の底部の外周縁付近に達した腕杆部の下端に設けられた取付環部、および、腕杆部の下端から収穫袋の底部に沿って、収穫袋の底部の直径方向となる反対がわの収穫袋の底部の外周縁付近を経由し、収穫袋の周壁に沿って概略Ｌ字形に折曲された上、掌対応範囲の略中央位置とは反対がわとなる環状枠の中途部に上端が一体化された外杆部からなる硬質弾性素材製のフレームが収穫袋に対して一体化され、フレームの取付環部に腕ベルトが設けられてなるものとしたことを特徴とする小粒果実用収穫具。
【請求項４】
フレームが、一本のバネ線からなり、取付環部が、複数回捲回されたコイル形状のものとされてなる、請求項３記載の小粒果実用収穫具。
【請求項５】
指環が、掌対応範囲の両端がわに対応する環状枠に１個ずつ合計２個設けられてなるものとされた、請求項１ないし４何れか一記載の小粒果実用収穫具。
【請求項６】
収穫袋の投入口から底部までの深さが、利用者の指の根元の関節付近から手首に至る間の長さに設定された、請求項１ないし請求項５何れか一記載の小粒果実用収穫具。
【請求項７】
収穫袋の投入口および環状枠の直径が、底部の直径よりも大きく設定され、フレームの外杆部に対応する収穫袋の底部から投入口に至る周壁が倒立錐壁状に、外径がわに膨出されてなるものとされた、請求項１ないし請求項６何れか一記載の小粒果実用収穫具。
【請求項８】
収穫袋の底部の直径が、投入口および環状枠の直径よりも大きく設定され、フレームの外杆部に対応する収穫袋の底部から投入口に至る周壁が錐壁状に、外径がわに膨出されてなるものとされた、請求項１ないし請求項６何れか一記載の小粒果実用収穫具。
【発明の詳細な説明】
【技術分野】
【０００１】
この発明は、人手による小粒果実の収穫作業を効率化する技術に関連するものであり、特に、利用者の肩付近より上方の枝に実った小粒果実類などをより効率的に収穫可能とする収穫具を製造、提供する分野は勿論のこと、その輸送、保管、組み立ておよび設置に必要となる設備、器具類を提供、販売する分野から、それら資材や機械装置、部品類に必要となる素材、例えば、木材、石材、各種繊維類、プラスチック、各種金属材料等を提供する分野、それらに組み込まれる電子部品やそれらを集積した制御関連機器の分野、各種計測器の分野、当該設備、器具を動かす動力機械の分野、そのエネルギーとなる電力やエネルギー源である電気、オイルの分野といった一般的に産業機械と総称されている分野、更には、それら設備、器具類を試験、研究したり、それらの展示、販売、輸出入に係わる分野、将又、それらの使用の結果やそれを造るための設備、器具類の運転に伴って発生するゴミ屑の回収、運搬等に係わる分野、それらゴミ屑を効率的に再利用するリサイクル分野などの外、現時点で想定できない新たな分野までと、関連しない技術分野はない程である。                                                                  
【背景技術】
【０００２】
（着目点）
サクランボ、その他の圃場に栽培された果樹類は、一般的に剪定や収穫などの作業性を考慮し、一般的にその樹高が低くなるよう整備されてきている。とはいうものの、収穫期になると連日のように大量の小粒果実を収穫し続けなければならない果樹農家は勿論のこと、さくらんぼ狩りに訪れた観光客もまた、頭上のサクランボに片手を伸ばして摘み取ったサクランボを、別の手に持つか腰に付けるかした収穫篭に入れ、再び頭上に手を伸ばすという首や腕、肩、腰などに負担の掛かる動作を繰り返さなければならず、こうした手腕の上下動作の繰り返しによる負担を軽減することが望まれている。
【０００３】
（従来の技術）
こうした状況を反映し、その打開策となるような提案も、これまでに散見されない訳ではない。
例えば、下記の特許文献１（１）に提案されているものに代表されるように、利用者の手首に対してサクランボを入れる容器の入り口部分が装着可能なベルトを有し、ベルトに対して容器の入り口部分が、ベルトの傾きにかかわらず、上向きとなる如く可動するよう連結されたものとされ、サクランボを収穫する際の片手を上げ下げする動作の頻度を削減可能とした、サクランボの収穫時に使用する腕に取り付け型容器や、同特許文献１（２）に見られるような、果実収穫用容器の正面となる面の上部に、手首などがゆったり入る大きさにカットされた手指し溝が設けられ、容器上部縁が手触りの良い布や樹脂等で覆われ、容器上部の両壁約中央部に任意の巾を持つゴム紐が付けられ、紐を片手の指に絡ませ、容器自体を収穫する手首に下げ、片手で収穫し、もう片方の手で枝などを寄せたり出来るものとされたベリー類等の果実収穫用容器などが散見される。
【０００４】
しかし、前者特許文献１（１）に示されているような腕に取り付け型容器などは、サクランボを摘み取った手指を、手首の関節を中心に曲げて、容器の入り口部分にサクランボを投入し易くするため、ベルトと容器の入り口部分との間に十分な距離を要するものとなり、果樹の枝間の狭間に手を差し入れる際に、容器が邪魔になり易いという欠点を残すものであり、また、後者特許文献１（２）の果実収穫用容器などは、利用者の手指を、果実収穫用容器の正面上部の手指し溝から差し入れ、利用者の手指の先がわが、容器の上部開口から上方に露出するように装着し、さらに、手指に幅広ゴム紐を絡めるようにして吊り下げて使用することになるから、容器の上部開口の開口面積の殆どを利用者の手指が塞いでしまい、収穫した果実を容器内に収容し難く、さらに、手指に絡めた幅広ゴム紐が、手指の動きを抑制し、小粒果実を摘み取る動作の邪魔になる虞があるという欠点を残すものであった。                                                                                                                    
【特許文献１】（１）実開昭６１−２０１２４号公報    （２）特開２０１７−６０４５８号公報
【発明の概要】
【発明が解決しようとする課題】
【０００５】
（問題意識）
上述したとおり、従前までに提案のある各種果実収穫用容器などは、何れも、利用者の手首付近に容器の上部開口部分が対応するよう装着されるものとされているが、利用者の手首と容器の上部開口部との位置関係が、小粒果実を収穫するのに適しているものとは言えず、より効率的に収穫できる小粒果実用の新たな収穫具の開発の可能性を痛感するに至ったものである。
【０００６】
（発明の目的）
そこで、この発明は、果樹の枝の狭間に手腕を伸ばし、差し通す際にも邪魔にならず、しかも、手指で摘んだ小粒果実を効率的に収穫袋内に収容することができて、より効率的に収穫することができる新たな小粒果実用の収穫技術の開発はできないものかとの判断から、逸速くその開発、研究に着手し、長期に渡る試行錯誤と幾多の試作、実験とを繰り返してきた結果、今回、遂に新規な構造の小粒果実用収穫具を実現化することに成功したものであり、以下では、図面に示すこの発明を代表する実施例と共に、その構成を詳述することとする。                                            
【課題を解決するための手段】
【０００７】
（発明の構成）
図面に示すこの発明を代表する実施例からも明確に理解されるように、この発明の小粒果実用収穫具は、基本的に次のような構成から成り立っている。
即ち、有底筒状とされ、天面に収穫対象の小粒果実の外径寸法よりも十分に大きく、しかも利用者の広げた掌に収まる程度の直径に設定された投入口が設けられ、投入口から底部までの深さが、利用者の指の根元の関節付近から手首ないし肘に至る間の何れかの長さに設定された柔軟素材製の収穫袋を有し、収穫袋の投入口の周縁に沿って弾性素材製の環状枠が装着され、環状枠の半円周に満たない範囲に利用者の掌に沿って接するよう湾曲された掌対応範囲が設定され、掌対応範囲の両端間に対応する環状枠に複数個の指環が設けられ、掌対応範囲の略中央位置の直下に対応する収穫袋の底部の外周縁付近に腕ベルトが設けられてなるものとした構成を要旨とする小粒果実用収穫具である。
【０００８】
この基本的な構成からなる小粒果実用収穫具は、その表現を変えて示すならば、有底筒状とされ、天面に収穫対象の小粒果実の外径寸法よりも十分に大きく、しかも利用者の広げた掌に収まる程度の直径に設定された投入口が設けられ、投入口から底部までの深さが、利用者の指の根元の関節付近から手首ないし肘に至る間の何れかの長さに設定された柔軟素材製の収穫袋を有し、収穫袋の投入口の周縁に沿って弾性素材製の環状枠が装着され、環状枠の半円周に満たない範囲に利用者の掌に沿って接するよう湾曲された掌対応範囲が設定され、掌対応範囲の両端間に対応する環状枠に複数個の指環が設けられ、掌対応範囲の略中央位置の直下に対応する収穫袋の底部の外周縁付近に腕ベルトが設けられ、利用者の手に装着された場合に、利用者が手指で摘まむように収穫した小粒果実類を投入口から収穫袋内に回収可能なものとされた構成からなる小粒果実用収穫具となる。
【０００９】
より具体的には、有底筒状とされ、天面に収穫対象の小粒果実の外径寸法よりも十分に大きく、しかも利用者の広げた掌に収まる程度の直径に設定された投入口が設けられ、投入口から底部までの深さが、利用者の指の根元の関節付近から手首ないし肘に至る間の何れかの長さに設定された柔軟素材製の収穫袋を有し、収穫袋の投入口の周縁に沿って弾性素材製の環状枠が装着され、環状枠の半円周に満たない範囲に利用者の掌に沿って接するよう湾曲された掌対応範囲が設定され、掌対応範囲の両端間に対応する環状枠に複数個の指環が設けられ、掌対応範囲の略中央位置となる環状枠の中途部に上端が一体化され、収穫袋の周壁に沿って直下に対応する収穫袋の底部の外周縁付近まで延伸された腕杆部、掌対応範囲の略中央位置となる環状枠の中途部の直下に対応する収穫袋の底部の外周縁付近に達した腕杆部の下端に設けられた取付環部、および、腕杆部の下端から収穫袋の底部に沿って、収穫袋の底部の直径方向となる反対がわの収穫袋の底部の外周縁付近を経由し、収穫袋の周壁に沿って概略Ｌ字形に折曲された上、掌対応範囲の略中央位置とは反対がわとなる環状枠の中途部に上端が一体化された外杆部からなる硬質弾性素材製のフレームが収穫袋に対して一体化され、フレームの取付環部に腕ベルトが設けられてなるものとした構成からなる小粒果実用収穫具となる。                                                                                      
【発明の効果】
【００１０】
以上のとおり、この発明の小粒果実用収穫具によれば、従前までのものとは違い、上記したとおりの固有の特徴ある構成から、小粒果実を摘み取ることとなる方の手腕の手首ないし肘に至る間の何れか適所に腕ベルトを装着し、指の、例えば、親指、および、親指に対峙する人差し指ないし小指の間の何れかに対し、夫々指環を装着することにより、収穫袋の投入口が、利用者の広げた掌内に配されるものとなっているから、利用者が、小粒果実の果柄部分を摘まむと、その果実部分が自然に収穫袋の投入口内に配されることとなり、摘み取った果柄を放すだけで、小粒果実がその自重によって収穫袋内に落下し、より簡便且つ確実に収容されることとなり、収穫作業を格段に効率的に行えるという秀でた特徴が得られるものである。
【００１１】
加えて、収穫袋の投入口の周縁に沿って弾性素材製の環状枠が装着されたものとなっているから、環状枠が、投入口が不用意に閉じてしまわないよう開口状態に支持するから、小粒果実の収容操作性をより高めたものとなり、しかも、環状枠が、果樹の枝や小粒果実などに接触した場合に、投入口が容易に歪んだり、閉鎖状となったりするよう弾性変形可能なものとなっているから、果樹や小粒果実を傷つけること無く、より円滑に収穫作業を行うことができるものとなる。
【００１２】
そして、掌対応範囲の略中央位置となる環状枠の中途部に上端が一体化され、収穫袋の周壁に沿って直下に対応する収穫袋の底部の外周縁付近まで延伸された腕杆部、掌対応範囲の略中央位置となる環状枠の中途部の直下に対応する収穫袋の底部の外周縁付近に達した腕杆部の下端に設けられた取付環部、および、腕杆部の下端から収穫袋の底部に沿って、収穫袋の底部の直径方向となる反対がわの収穫袋の底部の外周縁付近を経由し、収穫袋の周壁に沿って概略Ｌ字形に折曲された上、掌対応範囲の略中央位置とは反対がわとなる環状枠の中途部に上端が一体化された外杆部からなる硬質弾性素材製のフレームが収穫袋に対して一体化された、この発明の小粒果実用収穫具は、収穫袋の投入口の開口状態を維持できるだけでなく、収穫袋の周壁および底部の有底筒形状を弾性的に維持し、収穫袋内に収容された小粒果実を外力から保護するものとなり、収穫中作業に小粒果実に傷ついてしまうのを、より効果的に防止することができるという大きな効果を奏することになる。
【００１３】
また、フレームが、一本のバネ線からなり、取付環部が、複数回捲回されたコイル形状のものとされてなる、この発明の小粒果実用収穫具によると、レームの耐久強度を格段に高めたものとすることができる上、取付環部が、複数回捲回されたコイル形状のものとされているから、バネ線の加工が容易であり、生産性を高めることができると共に、腕ベルトにかかる加重を適度に分散して、腕ベルトの耐久寿命を延命化することができ、より経済的に製造および使用可能なものとなる。
【００１４】
そして、指環が、掌対応範囲の両端がわに対応する環状枠に１個ずつ合計２個設けられてなるものとされた、この発明の小粒果実用収穫具は、指環の数が最小となり、利用者の手指への着脱操作性が格段に高められ、より素早く簡便に装着することができる上、手指の動きを妨げることがないから、収穫作業をより円滑に行うことができ、部品点数および製造コストを削減し、より経済的に提供可能なものとなる。
【００１５】
さらに、収穫袋の投入口および環状枠の直径が、底部の直径よりも大きく設定され、フレームの外杆部に対応する収穫袋の底部から投入口に至る周壁が倒立錐壁状に、外径がわに膨出されてなるものとされた、この発明の小粒果実用収穫具によれば、より大きく確保された投入口が、小粒果実の収容操作を格段に容易なものとし、より円滑な収穫作業を実現化できるものとなる。
【００１６】
さらにまた、収穫袋の底部の直径が、投入口および環状枠の直径よりも大きく設定され、フレームの外杆部に対応する収穫袋の底部から投入口に至る周壁が錐壁状に、外径がわに膨出されてなるものとされた、この発明の小粒果実用収穫具によれば、底部がわの容積が、より大きく設定され、一度に収容できる小粒果実の量が大幅に増大され、より効率的な収穫作業を実現化することができるものとなる。                                                                                
【発明を実施するための最良の形態】
【００１７】
上記したとおりの構成からなるこの発明の実施に際し、その最良もしくは望ましい形態について説明を加えることにする。
収穫袋は、利用者の手指によって摘み取られた小粒果実を、利用者の手指直下付近に配された投入口を通じて収容可能とする機能を担うものであり、有底筒状とされ、天面に収穫対象の小粒果実の外径寸法よりも十分に大きく、しかも利用者の広げた掌に収まる程度の直径に設定された投入口が設けられ、投入口から底部までの深さが、利用者の指の根元の関節付近から手首ないし肘に至る間の何れかの長さに設定され、少なくとも利用者の掌に沿って接することとなる投入口およびその付近が柔軟素材からなるものとしなければならず、柔軟素材は、軟質合成樹脂や軟質合成繊維、軟質天然繊維などの何れか一か、または、それらの複合素材からなるものとすることが可能であり、ネット状やメッシュ状などの生地から製造されたものとすることができ、利用者の掌に沿って接することとなる投入口およびその付近以外の周壁および底部が硬質な部材からなるものとすることが可能であり、利用者へおの手腕への装着のし易さや使用感などを考慮すると、後述する実施例にも示すように、収穫袋の全体が柔軟素材製のものとされ、収穫袋投入口から底部までの深さが、利用者の指の根元の関節付近から手首に至る間の長さ、例えば１０ｃｍないし１５ｃｍに設定されたものとするのが望ましい。
【００１８】
また、後述する実施例にも示しているが、収穫袋の投入口および環状枠の直径が、底部の直径よりも大きく設定され、フレームの外杆部に対応する収穫袋の底部から投入口に至る周壁が倒立錐壁状に、外径がわに膨出されてなるものとし、利用者の腕周りを邪魔することの無いよう装着可能であって、しかも、小粒果実の投入のし易さが確保されてなるものとすることができる外、収穫袋の底部の直径が、投入口および環状枠の直径よりも大きく設定され、フレームの外杆部に対応する収穫袋の底部から投入口に至る周壁が錐壁状に、外径がわに膨出され、より高い収容機能が与えられてなるものとすることが可能である。
【００１９】
環状枠は、収穫袋の投入口の開口形状を弾性的に維持する機能を分担するものであり、収穫袋の投入口の周縁に沿って一体化された弾性素材製のものとし、半円周に満たない範囲に利用者の掌に沿って接するよう湾曲された掌対応範囲が設定され、掌対応範囲の両端間に対応する環状枠に複数個の指環が設けられたものとしなければならず、実用性や構造の簡素化を考慮すると、掌対応範囲の両端がわに対応する環状枠に夫々指環が設けられたものとするのが望ましく、収穫袋の投入口に沿って要所々々となる一部または略全周に渡って縫着または接着の少なくとも何れか一方によって結合されたものとすることができ、また、後述する実施例にも示しているように、収穫袋の投入口の周縁に沿ってパイプ状の装着部分が設けられ、該パイプ状の装着部分を介して一体に装着されたものとすることが可能であり、弾性素材としては、例えば、シリコンゴム線、ポリアミド合成樹脂線、ポリエステル線、天然ゴム線、その他の合成樹脂素材製の線、または、ステンレス線、アルミニウム線、銅線、エナメル線、防錆皮膜処理された鉄線、その他の金属素材製の線、または、それらの複合素材製の線からなるものとすることが可能である。
【００２０】
環状枠の掌対応範囲は、この発明の小粒果実用収穫具が、利用者の手腕に装着された場合に、収穫袋の投入口の周縁の利用者の掌に対応する範囲が、利用者の掌に沿って接するよう湾曲する機能を担うものであり、環状枠の半円周に満たない範囲であって利用者の掌に沿って接するよう湾曲された範囲ということができ、掌対応範囲の両端間に対応する環状枠に複数個の指環が設けられたものとすることができる外、後述する実施例にも示しているように、掌対応範囲の両端がわに対応する環状枠に夫々指環が設けられ、しかも掌対応範囲の略中央位置の直下に対応する収穫袋の底部の外周縁付近に腕ベルトが設けられてなるものとするのが良い。
【００２１】
指環は、利用者の左右何れか一方の小粒果実を摘み取るがわとなる片手の５本の指の中の何れか少なくとも２本に夫々装着され、収穫袋の投入口が、利用者の掌の範囲に位置するよう吊り下げ保持可能とする機能を担っていて、掌対応範囲の両端間に対応する環状枠に複数個の指環が設けられたものとしなければならず、実用性や構造の簡素化を考慮すると、掌対応範囲の両端がわに対応する環状枠に１個ずつ合計２個設けられたものとするのが望ましく、表現を変えて示すと、掌対応範囲の両端間に対応する環状枠に２個ないし５個の何れかの個数設けられたものとすることが可能であり、例えば、親指に装着される指環と、それ以外の指に装着される指環との間に、それ以外の指に装着される指環同士の間隔よりも広く設定されたものとするのが良く、親指に装着される指環以外の指環は、人差指、中指、薬指、小指の何れかに適宜装着可能なものとすることができ、利用者の指に対し、手指の動きを妨げないよう装着可能な柔軟性の素材からなるものとするのが望ましく、後述する実施例に示も示している通り、天然ゴム、シリコンゴム、ポリアミド合成樹脂、ポリエステル線、その他の合成樹脂素材製の線、帯、パイプまたは鎖の何れかからなる環とすることができる外、ステンレス線、アルミニウム線、銅線、エナメル線、防錆皮膜処理された鉄線、その他の金属素材製の線、帯、パイプまたは鎖の何れかからなるものなどとすることができる。
【００２２】
フレームは、収穫袋および投入口の形状を維持すると共に、収穫袋が利用者の手腕に沿って取り付け可能とする機能を担っているものであり、掌対応範囲の略中央位置となる環状枠の中途部に上端が一体化され、収穫袋の周壁に沿って直下に対応する収穫袋の底部の外周縁付近まで延伸された腕杆部、掌対応範囲の略中央位置となる環状枠の中途部の直下に対応する収穫袋の底部の外周縁付近に達した腕杆部の下端に設けられた取付環部、および、腕杆部の下端から収穫袋の底部に沿って、収穫袋の底部の直径方向となる反対がわの収穫袋の底部の外周縁付近を経由し、収穫袋の周壁に沿って概略Ｌ字形に折曲された上、直下の掌対応範囲の略中央位置とは反対がわとなる環状枠の中途部に上端が一体化された外杆部からなる硬質弾性素材製のものとすべきであり、フレームは、収穫袋および環状枠３に対して要所々々となる一部または略全長に渡って縫着または接着の少なくとも何れか一方によって結合されたものとすることができ、また、後述する実施例にも示しているように、収穫袋の対応箇所にパイプ状の装着部分を設け、該パイプ状の装着部分を介して一体に装着されたものとすることが可能であり、さらにまた、フレームは、収穫袋の周壁や底部を補強する格子状や網状の補強枠部を有するものとすることが可能である。
【００２３】
フレームの硬質弾性素材は、後述する実施例にも示すように、ピアノ線、硬鋼、ステンレス、アルミニウム、銅、その他の合金などの金属製、または、それらの組み合わせからなるものとすることが可能である外、硬質合成樹脂や竹、木、その他の多種多様な素材か、またはそれらの素材の組み合わせかの何れか一方からなるものとすることができる。
【００２４】
腕ベルトは、この発明の小粒果実用収穫具が、利用者の手腕に装着された場合に、収穫袋の底部の利用者の手腕に対応する外周縁を、利用者の手腕に装着可能とする機能を分担するものであって、利用者の手腕に対して簡便に着脱できると共に、不用意に離脱しないよう確りと装着可能なものとしなければならず、後述する実施例にも示しているように、平ゴムなどの幅広いゴム製の環からなるものとすることができる外、バックルや面ファスナーなどを有して環状の円周長を調整可能なものとして、利用者の手首や腕の周りの長さに応じて周囲長さを調節自在なものとすることができる。
【００２５】
収穫袋の収容の対象物となる物品は、小粒果実の外、小粒果実に似た形状および寸法のあらゆるものの何れかとすることが可能であり、小粒果実は、例えば、アメリカンチェリー（ブラックチェリー、ダークチェリー）、アンズ（杏、杏子、アプリコット）、ウメ（梅）、サクランボ（桜桃、スイートチェリー）、スミミザクラ、スピノサスモモ、スモモ（李、酸桃）、モモ、などの核果類、アーモンド、イチョウ、クリ、クルミ（胡桃）、ペカンなどの殻果類、アケビ（木通）、イチジク（無花果）、カキ、カシス（クロスグリ）、キイチゴ（木苺）、キウイフルーツ（キウイ）、グミ（頽子、胡頽子、茱萸）、クワ、クランベリー（オオミツルコケモモ）、コケモモ（苔桃、岩桃、はまなし、おかまりんご）、ザクロ（柘榴、石榴）、サルナシ（猿梨、シラクチズル、コクワ）、シーバックソーン（サジー、ヒッポファエ、シーベリー）、スグリ（酢塊、グーズベリー）、ナツメ（棗）、ニワウメ（庭梅、こうめ、いくり）、ハスカップ（クロミノウグイスカグラ）、ビルベリー、フサスグリ（房酸塊、レッドカラント）、ブドウ（葡萄）、ブラックベリー、ブルーベリー、ポーポー（ポポー、ポウポウ、ポポウ）、マツブサ、ラズベリー、ユスラウメ、柑橘類の実、熱帯果樹の実、小粒果実のような野菜類、天然素材類、または、工業製品・部品類など、何れのものも収容の対象物とすることが可能である。
以下では、図面に示すこの発明を代表する実施例と共に、その構造について詳述することとする。                                                                                                              
【図面の簡単な説明】
【００２６】
図面は、この発明の小粒果実用収穫具の技術的思想を具現化した代表的な幾つかの実施例を示すものである。
【図１】小粒果実用収穫具の使用状態を示す斜視図である。
【図２】小粒果実用収穫具の構造を示す側面図である。
【図３】小粒果実用収穫具の構造を示す平面図である。
【図４】小粒果実用収穫具の構造を示す背面図である。
【図５】収穫袋の形状が異なる小粒果実用収穫具の構造を示す側面図である。
【図６】収穫袋の形状が異なる小粒果実用収穫具の構造を示す平面図である。
【図７】収穫袋の形状が異なる小粒果実用収穫具の構造を示す背面図である。
【実施例１】
【００２７】
図１ないし図４に示す事例は、有底筒状とされ、天面に投入口２０が設けられ、投入口２０から底部２２までの深さＨが、利用者Ｐの指の根元の関節付近から手首ないし肘に至る間の何れかの長さに設定された柔軟素材製の収穫袋２を有し、収穫袋２の投入口２０の周縁に環状枠３が装着され、環状枠３の半円周に満たない範囲に利用者Ｐの掌に沿って接するよう湾曲された掌対応範囲３０が設定され、掌対応範囲３０の両端がわに対応する環状枠３に夫々指環３１，３１が設けられ、掌対応範囲３０の略中央位置の直下に対応する収穫袋２の底部２２の外周縁付近に腕ベルト５が設けられてなるものとした、この発明の小粒果実用収穫具における代表的な一実施例を示すものである。
【００２８】
それら各図からも明確に把握できるとおり、この発明の小粒果実用収穫具１は、周壁２１および底部２２を有した有底筒状とされ、天面に収穫対象の小粒果実６の外径寸法よりも十分に大きく、しかも利用者Ｐの広げた掌に収まる程度の直径、例えばΦ５ｃｍないしΦ１２ｃｍに設定された投入口２０が設けられ、投入口２０から底部２２までの深さが、利用者Ｐの指の根元の関節付近から手首に至る間の長さ、例えば１０ｃｍないし１５ｃｍに設定された、ポリアミド系合成繊維やポリエステル系合成繊維、天然ゴムなどの柔軟素材製の収穫袋２を有し、該収穫袋２は、底部２２の直径が、投入口２０の直径よりも小さく設定され、図２中に示すように、後述する掌対応範囲３０とは反対がわとなる収穫袋２の底部２２外周縁から投入口２０外周縁に至る周壁２１が、倒立錐壁状に、外径がわに向けて膨出されてなるものとされている。
【００２９】
収穫袋２の投入口２０には、その周縁に沿う帯状の範囲が外または内の何れか一方に折り曲げられ、その周縁端が周壁２１に縫合または接着されるなどして周周り方向に細長いトンネル状（パイプ状）とされた、収穫袋２と同質素材製の枠通し孔部Ｓが設けられ、該枠通し孔部Ｓに沿って直径２．５ｍｍのシリコンゴム線、ポリアミド合成樹脂線、ポリエステル線または天然ゴム線などの弾性素材製の、環の直径が例えばΦ５ｃｍないしΦ１２ｃｍに設定された無端状の環状枠３が一体に装着されたものとされ、環状枠３の半円周に満たない範囲、例えば１７０°ないし６０°の開き角度、より具体的には１２０°の開き角度となる範囲に利用者Ｐの掌に沿って接するよう湾曲された掌対応範囲３０が設定され、掌対応範囲３０の両端がわに対応する枠通し孔部Ｓの周壁に、環孔部Ｓｈ，Ｓｈが開口され、掌対応範囲３０の両端がわに対応する環状枠３には、環孔部Ｓｈ，Ｓｈを通じ、夫々指環３１，３１が環状枠３に対し、丸カン同士を繋いだ形状とするようリング同士が掛け合わせられた状態に設けられたものとなっている、
【００３０】
図１に示すように、指環３１は、外径Φ３．５ｍｍの天然ゴム製のチューブが、利用者Ｐの手の指を緩やかに通すことが可能な内径約Φ２２ｍｍのループ状とするよう両端が結束されたものとすることができる外、図２ないし図４に示すように、直径２．５ｍｍのシリコンゴム線、ポリアミド合成樹脂線、ポリエステル線または天然ゴム線などの弾性素材製の、内径約Φ２２ｍｍの環状部品とすることが可能であり、また、環状枠３の対応する箇所がα字形に捻られ、交叉部分が結束されるなどして同様の寸法の環状部分が形成されたものとすることができる。
【００３１】
当該収穫袋２は、枠通し孔部Ｓの両環孔部Ｓｈ，Ｓｈ間の掌対応範囲３０の略中央位置となる中途部、および、該掌対応範囲３０の略中央位置に対し、直径方向となる反対がわ（１８０°の開き角度となる位置）の夫々に結合用孔Ｆ，Ｆが設けられ、さらに、枠通し孔部Ｓの該掌対応範囲３０の略中央位置に配された結合用孔Ｆから、直下の底部２２の周縁に至る、パイプ状且つ収穫袋２と同質素材製の（利用者Ｐの手首がわ配置となる）背補強孔部ＲＦが設けられ、また、該背補強孔部ＲＦの下端付近から、底部２２の直径付近を横断し、底部２２の周縁の反対がわ（１８０°の開き角度となる位置）を周壁２１に周り込み、直上の（掌対応範囲３０の略中央位置とは反対がわとなる配置）環孔部Ｓｈに達する概略Ｌ字形のパイプ状であって収穫袋２と同質素材製の（利用者Ｐの手首がわとは反対がわの配置となる）前補強孔部ＦＦ設けられたものとされている。そして、枠通し孔部Ｓ、背補強孔部ＲFおよび前補強孔部ＦＦは、夫々収穫袋２の肉厚中に一体に設けられたものとすることができる外、収穫袋２の内がわに一体に設けられたもの、または、収穫袋２の外がわに一体に設けられたものの何れか一とすることができる。
【００３２】
収穫袋２および環状枠３には、幅２．５ｍｍ、厚み１ｍｍの一本の細長いピアノ線、硬鋼線、ステンレス線などのバネ線素材が、腕杆部４０、取付環部４１および外杆部４２を有するよう、塑性加工されてなるフレーム４が設けられており、該フレーム４の腕杆部４０は、上端が背補強孔部ＲＦの下端から上端に至るよう差し通され、結合用孔Ｆを通じ、両指環３１，３１の間の掌対応範囲３０の略中央位置となる環状枠３の中途部に達した上、該腕杆部４０の上端が、環状枠３に対して塑性加工によって巻き掛けられ一体化されたものとなり、フレーム４の外杆部４２は、外杆部４２の上端が、底部２２に開口する概略Ｌ字形の前補強孔部ＦＦの下端から、上端に至るよう差し通され、結合用孔Ｆを通じ、掌対応範囲３０の略中央位置とは直径方向の反対がわ（１８０°の開き角度となる位置）となる環状枠３の中途部に達した上、該外杆部４２の上端が、環状枠３に対して塑性加工によって巻き掛けられ一体化されたものとなっている。
【００３３】
収穫袋２の背補強孔部ＲＦの下端と、前補強孔部ＦＦの下端との間に露出状とされたフレーム４の取付環部４１は、掌対応範囲３０の略中央位置となる環状枠３の中途部の直下に対応する収穫袋２の底部２２の外周縁付近に達した腕杆部４０の下端と、外杆部４２の下端との間に一体に設けられ、環状枠３の掌対応範囲３０の略中央位置の直下に対応する底部２２の周縁の接線に略平行となる水平軸心周りに外径１ｃｍのコイル状に３ないし４巻きに捲回されてなり、該フレーム４の取付環部４１には、幅１５ｍｍの平ゴム製であって、利用者Ｐの手首周りの寸法に合わせられ、直径約Φ６０ｍｍの環状とされた腕ベルト５が装着されたものとなっている。
【００３４】
図５ないし図７に示す事例は、収穫袋２およびフレーム４の下部が外側に膨出された形状のものであり、収穫袋２の底部２２の直径が、投入口２０の直径よりも大きく、しかも腕ベルト５とは反対がわに膨出された形状となり、腕杆部４０とは反対がわとなる周壁２１が、投入口２０から底部２２に錐状に傾斜されたものとなっており、フレーム４の外杆部４２が、その外郭形状に沿って配設されたものとされている。
【００３５】
（実施例１の作用・効果）
以上のとおりの構成からなるこの発明の小粒果実用収穫具１は、図１ないし図４に示すように、利用者Ｐは、収穫するがわとなる例えば右手の手首に、腕ベルト５を装着し、一対の指環３１，３１の一方を、中指の根元に、また、他方を親指の根元に装着するようにし、収穫袋２の投入口２０および環状枠３の掌対応範囲３０が右手の掌に沿って配され、収穫袋２の底部２２が、右手の手首付近に配された状態に装着することが可能となり、図１に示すように、利用者Ｐは、右手の手指で小粒果実６を摘み取り、そのまま手指を放すと、摘み取られた小粒果実６が、その自重によって収穫袋２の投入口２０に落下し、収容されることとなり、同様の摘み取り作業を行うと、収穫袋２が一杯になるまで、一度に６粒ないし８粒の果柄付きの小粒果実６を収容することができ、収穫する手腕（摘み取りがわの例えば右手）の上げ下ろしの回数を大幅に削減することができるものとなる。
【００３６】
弾性素材製の環状枠３は、収穫袋２の投入口２０の開口状態を維持すると共に、投入される小粒果実６を保護し、柔軟素材製の収穫袋２が、小粒果実６を保護するよう受け止めて収容、保護することができる上、硬質弾性素材製のフレーム４が、小粒果実６を外力から弾性的に保護するものとなり、収穫作業中に小粒果実６が損傷してしまうのをより効果的に防止することができ、しかも枝や脚立などに接した場合には、弾性的に変形して元の形状に復帰するから、小粒果実用収穫具１それ自体にも損傷を受けることなく、秀でた耐久性を有するものとなる。
【００３７】
そして、図５ないし図７に示すように、収穫袋２の底部２２の直径が、投入口２０および環状枠３の直径よりも大きく設定され、小粒果実用収穫具１は、利用者Ｐが頭上に上げた右手を下ろすことなく、より多くの果柄付きの小粒果実６（例えば１０粒ないし１２粒）を収容することができるから、より効率の良い収穫作業が可能になる。
【００３８】
（結  び）
叙述の如く、この発明の小粒果実用収穫具は、その新規な構成によって所期の目的を遍く達成可能とするものであり、しかも製造も容易で、従前からの果実用の収穫具技術に比較して大幅に耐久強度を高め、軽量且つ低廉化して遥かに経済的なものとすることができる上、収穫作業性を大幅に改善し得るものとなることから、従前までは、収穫作業の煩わしさをより効率的に改善することができる手立てがなく、小粒果実の収穫作業性の改善を断念せざるを得なかった果樹農家はもとより、さくらんぼ狩りや杏狩り、すもも狩りなど、様々な小粒果実やそれに似た野菜類などの収穫を楽しむ観光客などにも高く評価され、広範に渡って利用、普及していくものになると予想される。                                                                              
【符号の説明】
【００３９】
１      小粒果実用収穫具
２      収穫袋
２０    同  投入口
２１    同  周壁
２２    同  底部
Ｓ    同  枠通し孔部
Ｆ    同  結合用孔
Ｓｈ    同  環孔部
ＲＦ    同  背補強孔部
ＦＦ    同  前補強孔部
Ｈ    同  深さ
３      環状枠
３０    同  掌対応範囲
３１    同  指環
４      フレーム
４０    同  腕杆部
４１    同  取付環部
４２    同  外杆部
５      腕ベルト
６      小粒果実
Ｐ      利用者
【図１】
2020099205.tif 000003
【図２】
2020099205.tif 000004
【図３】
2020099205.tif 000005
【図４】
2020099205.tif 000006
【図５】
2020099205.tif 000007
【図６】
2020099205.tif 000008
【図７】
2020099205.tif 000009